(57)【要約】【課題】光ピックアップアクチュエータの可動部の小型化を実現し、もって光ピックアップの小型化を実現する。【解決手段】レンズホルダー２１とボビン２２は、互いに組み合わされて光ピックアップアクチュエータの可動部２０を構成する。ボビン２２は、可動部２０の重心と駆動中心とが一致するよう、バランサー部５１を有している。レンズホルダー２１とボビン２２とは、共通の２種以上の原材料を用いて製造されるが、その原材料の比率を違えることにより、ボビン２２の比重をレンズホルダー２１のそれより大きくしてある。これにより、バランサー部５１の小型化・薄型化が実現できる。【選択図】          図５
2004288339.tif 000002
【特許請求の範囲】
【請求項１】
互いに組み合わされて一体化されるレンズホルダーとボビンとを備えた光ピックアップにおいて、
前記ボビンの比重を前記レンズホルダーの比重よりも大きくしたことを特徴とする光ピックアップ。
【請求項２】
前記レンズホルダーと前記ボビンとが、共通の２種以上の原材料からなり、これら原材料の比率を互いに異ならせることによって、前記ボビンの比重を前記レンズホルダーの比重よりも大きくしたことを特徴とする請求項１に記載の光ピックアップ。
【請求項３】
前記原材料が、ガラスフィラー及び液晶ポリマーであることを特徴とする請求項２に記載の光ピックアップ。
【請求項４】
請求項１乃至３に記載の光ピックアップを備えたことを特徴とする光ディスクドライブ。
【発明の詳細な説明】
【０００１】
【発明の属する技術分野】
本発明は、光ディスクドライブに用いられる光ピックアップに関し、特に、その小型化に関する。
【０００２】
【従来の技術】
光ディスクドライブは、光ディスクと呼ばれる光学的記録媒体に記録された情報を再生し、あるいは、情報を記録／再生するためのものである。光ディスクとしては、ＣＤ（ＣＤ−Ｒ、ＣＤ−ＲＷ、ＣＤ−ＲＯＭ、及びオーディオＣＤ等を含む）やＤＶＤ（ＤＶＤ−ＲＯＭ、ＤＶＤ−Ｒ，ＤＶＤ−ＲＡＭ等を含む）がある。
【０００３】
光ディスクドライブは、光ディスクにレーザ光を照射し、その反射光を検出するために、光ピックアップを備えている。
【０００４】
光ピックアップは、発光素子、受光素子及び光学素子が搭載され、かつ光ディスクの半径方向に沿って移動可能なピックアップベースと、このピックアップベースに取り付けられる光ピックアップアクチュエータとを含んでいる。
【０００５】
光ピックアップアクチュエータは、フォーカシング制御及びトラッキング制御を行うためのもので、アクチュエータベースを介してピックアップベースに固定されるダンパベースと、このダンパベースに４本のサスペンションワイヤを用いて取り付けられる可動部とを有している。
【０００６】
光ピックアップアクチュエータの可動部は、レンズホルダーとボビンとを有している。レンズホルダーには、光ディスクに対向するように対物レンズが固定される。ボビンには、この可動部を上下左右方向に移動させるための電磁力を発生させるコイルが巻き回されている。
【０００７】
従来の光ピックアップにおける光ピックアップアクチュエータの可動部は、レンズホルダーとボビンとが、同一の原材料を用いて製造されている。
【０００８】
【発明が解決しようとする課題】
光ピックアップアクチュエータの可動部は、不要な共振が発生しないよう、その重心を駆動中心に一致させる必要がある。換言すると、光ピックアップアクチュエータの可動部の形状は、駆動中心を原点とする直交座標を想定したとき、ＸＹＺ方向のいずれに関しても、モーメント中心が原点に一致するように決定されている。
【０００９】
ここで、可動部のレンズホルダーは、光ピックアップを斜め上方に掲げる様な形状とする必要があることから、それに応じて、ボビンを斜め下方に突出（厚く）させる必要がある。それゆえ、従来の光ピックアップには、光ピックアップアクチュエータの可動部が厚みを有しており、その小型化が困難であるという問題点がある。
【００１０】
そこで、本発明は、光ピックアップアクチュエータの可動部の小型化を実現し、もって光ピックアップの小型化を実現することを目的とする。
【００１１】
【課題を解決するための手段】
本発明によれば、互いに組み合わされて一体化されるレンズホルダー（２１）とボビン（２２）とを備えた光ピックアップにおいて、前記ボビン（２２）の比重を前記レンズホルダー（２１）の比重よりも大きくしたことを特徴とする光ピックアップが得られる。
【００１２】
前記レンズホルダー（２１）と前記ボビン（２２）の比重を互いに異ならせるには、これを構成する２種以上の原材料の比率を互いに異ならせればよい。
【００１３】
なお、上記括弧内の参照符号は、本発明の理解を容易にするために付したものであり、何ら本発明を限定するものではない。
【００１４】
【発明の実施の形態】
以下、図面を参照して、本願発明の実施の形態について詳細に説明する。
【００１５】
まず、図１を参照して、本発明の一実施の形態に係る光ピックアップの概要について説明する。なお、この光ピックアップは、ＣＤ，ＤＶＤ等の光ディスクに記録された情報を再生し、又はこれら光ディスクに情報を記録するとともに再生する光ディスクドライブに用いられる。
【００１６】
図１は、本発明の一実施の形態に係る光ピックアップであって、その上部カバーを取り外した状態を示している。図示の光ピックアップは、ピックアップベース１１と、そこに搭載される光ピックアップアクチュエータ１２とを有している。
【００１７】
ピックアップベース１１は、図示しない光ディスクドライブのメインフレームに固定されるガイドバーを挿通させるためのガイド穴１３を有している。ピックアップベース１１は、ガイドバーに沿って、即ち、光ディスクドライブに導入された光ディスクの半径方向に沿って摺動可能に、ガイドバーに取り付けられる。
【００１８】
ピックアップベース１１には、また、発光素子であるレーザダイオード１４や、受光素子（図示せず）、及び光学系（図示せず）等も搭載されている。
【００１９】
光ピックアップアクチュエータ１２は、対物レンズ１５を保持し、フォーカシング制御及びトラッキング制御を行うために、ピックアップベース１１に対し、対物レンズ１５を上下左右方向に移動させる。
【００２０】
次に、図２を参照して、光ピックアップアクチュエータ１２について、より詳細に説明する。
【００２１】
図示の光ピックアップアクチュエータ１２は、対物レンズ１５を保持する可動部２０と、この可動部２０を図の上下方向及び左右方向に移動可能に支持する固定部３０とを備えている。
【００２２】
可動部２０は、対物レンズ１５を保持するレンズホルダー２１と、このレンズホルダー２１に一体的に取り付けられるボビン２２とを備えている。レンズホルダー２１とボビン２２とを一体化したことにより、これらの間には、孔部２１ａが形成される。また、ボビン２２は、その中央部に孔部２２ａを有している。
【００２３】
ボビン２２には、トラッキングコイル２３，２４と、図示しないフォーカシングコイルが巻回されている。トラッキングコイル２３，２４は、各々垂直方向に巻回されており、ボビン２２の図の奥側に、左右対称に設けられている。一方、フォーカスコイルは、ボビン２２の外周面上に、即ち水平方向に巻回されている。なお、トラッキングコイル２３，２４は、フォーカシングコイルの外周側に位置する。
【００２４】
また、ボビン２２は、両側に突出する上下２個所の突起２５を有している。これらの突起には、サスペンションワイヤ２６の一端が固定されるとともに、トラッキングコイル２３，２４及びフォーカシングコイルの端部が固定される。また、サスペンションワイヤとこれらコイルとは電気的に接続されている。
【００２５】
固定部３０は、アクチュエータベース３１と、ダンパベース３２とを有している。アクチュエータベース３１は、図１のピックアップベース１１に固定され、ダンパベース３２は、アクチュエータベース３１の後端に固定される。つまり、ダンパベース３２は、アクチュエータベース３１を介してピックアップベース１１に固定される。
【００２６】
アクチュエータベース３１の一部は、ヨーク４１，４２として用いられる。ヨーク４１，４２には、それぞれ一対のマグネット４３が固定される。２対のマグネット４３は、それぞれトラッキングコイル２３，２４を挟むように、孔部２１ａ及び孔部２２ａ内に配置されている。
【００２７】
ダンパベース３２は、４本のサスペンションワイヤ２６の他端側を、図示しない制振材により保持固定している。また、ダンパベース３２には、サスペンションワイヤ２６を介してトラッキングコイル２３，２４及びフォーカシングコイルへの通電を行うための導伝板３３が設けられている。
【００２８】
以上のような構成おいて、サスペンションワイヤ２６を介してトラッキングコイル２３，２４及び／又はフォーカシングコイルに通電を行うと、各コイルが発生する電磁力とマグネット４３との磁力との相互作用により、可動部２０が固定部３０に対して上下方向及び左右方向に移動する。
【００２９】
次に、図３乃至図５を参照して、可動部２０に用いられるレンズホルダー２１とボビン２２について説明する。
【００３０】
レンズホルダー２１及びボビン２２は、共通の２種以上の原材料、例えば、ガラスフィラーと液晶ポリマーとを用いて、成形等により別々に製造される。そして、レンズホルダー２１とボビン２２は、それぞれ図３の左側及び右側に示すような形状を有し、互いに組み合わされて一体化され、図４に示すような形状となる。
【００３１】
ここで、可動部２０に対し、その重心を原点とする直交座標を想定すると、図５のようになる。
【００３２】
可動部２０を駆動する際に不要共振の発生を抑えるには、駆動中心と可動部２０の重心とを一致させる必要がある。つまり、図５において駆動中心は、直交座長の原点である。ここで、図５から容易に理解できるように、レンズホルダー２１は、ＹＺ方向（図の斜め右上方）へと大きく突き出した形状となっている。また、これとのバランスをとるため（ｘ軸周りのモーメント中心を重心位置に一致させるため）、ボビン２２は、−Ｙ−Ｚ方向（図の左下方）に突出するバランサー部５１を有している。
【００３３】
可動部２０のさらなる小型化・薄型化を実現し、光ピックアップの小型化・薄型化を実現するには、ボビン２２の−Ｙ−Ｚ方向への突出量を減少させればよい。しかしながら、ボビン２２の−Ｙ方向の突出量を減少させるには、ボビン２２のバランサー部５１の厚みを厚く（−Ｚ方向の突出量を大きく）しなければならず、ボビンのバランサー部５１の厚みを薄く（−Ｚ方向の突出量を小さく）するには、−Ｙ方向の突出量を大きくしなければならない。
【００３４】
そこで、本実施の形態では、レンズホルダー２１とボビン２２の、原材料比（割合）を互いに異ならせ、ボビン２２の比重をレンズホルダー２１の比重よりも大きくしている。具体的には、ボビン２２に含まれるガラスフィラーの割合を、レンズホルダー２１のガラスフィラーの割合よりも大きくしている。その結果、ボビンのバランサー部５１を小型化・薄型化することができる。
【００３５】
こうして、本実施の形態に係る光ピックアップは、小型化・薄型化が実現できる。
【００３６】
【発明の効果】
本発明によれば、互いに組み合わされて一体化されるボビンとレンズホルダーとを備えた光ピックアップにおいて、前記ボビンの比重を前記レンズホルダーの比重よりも大きくしたことで、従来に比べ小型化・薄型化が可能になり、もって光ディスクドライブの小型化・薄型化が可能になる。
【図面の簡単な説明】
【図１】本発明の一実施の形態に係る光ピックアップの上部カバーを外した状態を示す斜視図である。
【図２】図１の光ピックアップに用いられる光ピックアップアクチュエータの斜視図である。
【図３】図２の光ピックアップアクチュエータに含まれる可動部に用いられるレンズホルダー及びボビンの斜視図である。
【図４】図３のレンズホルダーとボビンとを組み合わせた状態を示す斜視図である。
【図５】図２の光ピックアップアクチュエータに含まれる可動部に対し、その重心に原点を持つ直交座標を想定した図である。
【符号の説明】
１１      ピックアップベース
１２      光ピックアップアクチュエータ
１３      ガイド穴
１４      レーザダイオード
１５      対物レンズ
２０      可動部
２１      レンズホルダー
２１ａ    孔部
２２      ボビン
２２ａ    孔部
２３，２４      トラッキングコイル
２５      突起
２６      サスペンションワイヤ
３０      固定部
３１      アクチュエータベース
３２      ダンパベース
３３      導伝板
４１，４２      ヨーク
４３      マグネット
５１      バランサー部
【図１】
2004288339.tif 000003
【図２】
2004288339.tif 000004
【図３】
2004288339.tif 000005
【図４】
2004288339.tif 000006
【図５】
2004288339.tif 000007